(57)【特許請求の範囲】
【請求項１】
外部装置に近接した際に近距離通信によって当該外部装置との間で所定の処理を実行するＩＣカード機能を複数備える端末装置であって、
前記外部装置との近接を検出する検出手段と、
ユーザの指情報を取得する取得手段と、
前記検出手段によって前記外部装置に近接したことが検出されたときに、前記取得手段にユーザの指が接触しているか否かを判別する第１判別手段と、
前記第１判別手段によって接触していると判別された場合に、前記ＩＣカード機能と指情報とを対応付けて記憶する記憶手段を前記取得手段によって取得された指情報に基づいて参照することによって、前記複数のＩＣカード機能の中から何れかのＩＣカード機能を選択する第１選択手段と、
この第１選択手段によって選択されたＩＣカード機能の前記所定の処理を前記外部装置との間で実行する実行手段と、
前記実行手段によって前記所定の処理が実行された場合に、前記取得手段にユーザの指が接触しているか否かを判別する第３判別手段と、
前記第３判別手段によって接触していると判別された場合に、前記実行手段によって所定の処理を実行したＩＣカード機能と前記取得手段によって取得された指情報とを対応付けて前記記憶手段に記憶する記憶制御手段と、
を具備したことを特徴とする端末装置。
【請求項２】
前記取得手段は、当該端末装置に配設された指情報取得センサを含み、
当該端末装置をユーザが把持して前記外部装置に近接させた状態において、当該端末装置に指が当たる位置に前記指情報取得センサを配設する、
ことを特徴とする請求項１記載の端末装置。
【請求項３】
前記複数のＩＣカード機能の中からユーザ操作によって何れかのＩＣカード機能を選択する第２選択手段を更に備え、
前記実行手段は、前記第１判別手段によって前記取得手段にユーザの指が接触していないと判別された場合に、前記第２選択手段によって選択されたＩＣカード機能の前記所定の処理を前記外部装置との間で実行する、
ことを特徴とする請求項１又は２に記載の端末装置。
【請求項４】
前記第１判別手段によって前記取得手段にユーザの指が接触していないと判別された場合に、前記取得手段に指を接触する旨を示する案内メッセージを表示させる表示手段と、
前記表示手段によって案内メッセージが表示された場合に、前記取得手段にユーザの指が接触しているか否かを判別する第２判別手段と、
を更に備え、
前記第１選択手段は、前記第２判別手段によって接触していると判別された場合に、前記ＩＣカード機能と指情報とを対応付けて記憶する記憶手段を前記取得手段によって取得された指情報に基づいて参照することによって、前記複数のＩＣカード機能の中から何れかのＩＣカード機能を選択する、
ことを特徴とする請求項１又は２に記載の端末装置。
【請求項５】
コンピュータに対して、
外部装置との近接を検出する機能と、
ユーザの指情報を取得する機能と、
前記外部装置に近接したことが検出されたときに、指情報を取得する領域に前記ユーザの指が接触しているか否かを判別する機能と、
前記ユーザの指が接触していると判別された場合に、前記ＩＣカード機能と指情報とを対応付けて記憶する記憶手段を前記取得された指情報に基づいて参照することによって、複数のＩＣカード機能の中から何れかのＩＣカード機能を選択する機能と、
前記選択されたＩＣカード機能の所定の処理を前記外部装置との間で実行する機能と、
前記所定の処理が実行された場合に、前記ユーザの指が接触しているか否かを判別する機能と、
前記ユーザの指が接触していると判別された場合に、前記所定の処理を実行したＩＣカード機能と前記取得された指情報とを対応付けて前記記憶手段に記憶する機能と、
を実現させるためのプログラム。
【発明の詳細な説明】
【技術分野】
【０００１】
本発明は、外部装置に近接した際に近距離通信によって当該外部装置との間で所定の処理を実行するＩＣカード機能を複数備える端末装置及びプログラムに関する。
【背景技術】
【０００２】
近年、携帯電話機などの端末装置においては、買物をする際に電子決済処理を実行するＩＣカード機能、交通機関での乗車券処理や定期券処理を実行するＩＣカード機能、施設の入り口などで個人認証処理を実行するＩＣカード機能などのように、所定の処理を近距離通信によって外部装置との間で実行するＩＣカード機能が複数搭載されている。また、電子決済処理を実行するＩＣカード機能であってもユーザが複数の電子決済サービス会社と契約することによって、電子決済処理を実行するＩＣカード機能が複数搭載されている場合もある。また、電子決済処理に限らず、乗車券処理、定期券処理、個人認証処理なども同様に、類似の処理を実行するＩＣカード機能が複数搭載されている場合もある。なお、これらのＩＣカード機能は、一般にプログラムとして、インターネットなどの通信網を介して端末装置にダウンロードすることができるようになっている。
【０００３】
上述のように複数のＩＣカード機能が搭載されている端末装置においては、それら複数のＩＣカード機能の中から利用するＩＣカード機能をユーザ操作によって選択しなければならない。例えば、店で買物をするときには、店の決済用の外部装置に端末装置を近づける前に、予め今回の電子決済に利用するＩＣカード機能をユーザ操作によって選択しておく必要がある。このようにユーザ操作によってＩＣカード機能を選択するのは煩雑である。特にＩＣカード機能を頻繁に利用するような場合に毎回ユーザ操作を行うことは非常に煩雑なものとなる。
【０００４】
ところで、従来では、特許文献１のように複数の機能の中から目的とする機能を迅速かつ簡単に選択することができる携帯端末装置が開示されている。この携帯端末装置では、複数のアプリケーション機能の中から主アプリケーション機能と、その主アプリケーション機能に関連付ける関連付けアプリケーション機能とをユーザ操作によって選択し、両者を対応付けて記憶しておくことによって、以降は、主アプリケーション機能が利用された場合に、その主アプリケーション機能に関連付けて記憶されている関連付けアプリケーション機能を優先的に選択可能な様態で選択画面に表示するようにしている。なお、特許文献１では、電子決済機能や乗車券機能などの個別の機能を「アプリケーション機能」と称し、それらの総称を「ＩＣカード機能」と称している。
【先行技術文献】
【特許文献】
【０００５】
【特許文献１】特開２００３−０７６９５８号公報
【発明の開示】
【発明が解決しようとする課題】
【０００６】
しかしながら、上述した先行技術の携帯端末装置では、事前の設定として、主アプリケーション機能と関連付けアプリケーション機能とを対応付けて記憶しておくようにしているため、ユーザ操作が煩雑となり、また、アプリケーション機能を利用する際には、関連付けアプリケーション機能が選択画面に表示されるだけなので、結局は選択するためのユーザ操作が必要になってしまう。
【０００７】
この発明の課題は、ユーザの煩雑な操作を必要とすることなく、複数のＩＣカード機能の中から所望するＩＣカード機能を容易に選択できるようにすることである。
【課題を解決するための手段】
【０００８】
本発明の端末装置は、外部装置に近接した際に近距離通信によって当該外部装置との間で所定の処理を実行するＩＣカード機能を複数備える端末装置であって、前記外部装置との近接を検出する検出手段と、ユーザの指情報を取得する取得手段と、前記検出手段によって前記外部装置に近接したことが検出されたときに、前記取得手段にユーザの指が接触しているか否かを判別する第１判別手段と、前記第１判別手段によって接触していると判別された場合に、前記ＩＣカード機能と指情報とを対応付けて記憶する記憶手段を前記取得手段によって取得された指情報に基づいて参照することによって、前記複数のＩＣカード機能の中から何れかのＩＣカード機能を選択する第１選択手段と、この第１選択手段によって選択されたＩＣカード機能の前記所定の処理を前記外部装置との間で実行する実行手段と、前記実行手段によって前記所定の処理が実行された場合に、前記取得手段にユーザの指が接触しているか否かを判別する第３判別手段と、前記第３判別手段によって接触していると判別された場合に、前記実行手段によって所定の処理を実行したＩＣカード機能と前記取得手段によって取得された指情報とを対応付けて前記記憶手段に記憶する記憶制御手段と、を具備したことを特徴とする端末装置である。
【０００９】
本発明のプログラムは、コンピュータに対して、外部装置との近接を検出する機能と、ユーザの指情報を取得する機能と、前記外部装置に近接したことが検出されたときに、指情報を取得する領域に前記ユーザの指が接触しているか否かを判別する機能と、前記ユーザの指が接触していると判別された場合に、前記ＩＣカード機能と指情報とを対応付けて記憶する記憶手段を前記取得された指情報に基づいて参照することによって、複数のＩＣカード機能の中から何れかのＩＣカード機能を選択する機能と、前記選択されたＩＣカード機能の所定の処理を前記外部装置との間で実行する機能と、前記所定の処理が実行された場合に、前記ユーザの指が接触しているか否かを判別する機能と、前記ユーザの指が接触していると判別された場合に、前記所定の処理を実行したＩＣカード機能と前記取得された指情報とを対応付けて前記記憶手段に記憶する機能と、を実現させるためのプログラムである。
【発明の効果】
【００１０】
この発明によれば、ユーザの煩雑な操作を必要とすることなく、指情報を取得するだけで、複数のＩＣカード機能の中から所望するＩＣカード機能を容易に選択することができ、操作性を大幅に向上させることが可能となる。
【図面の簡単な説明】
【００１１】
【図１】端末装置として適用した携帯電話機が利用可能な通信ネットワークシステムを示したブロック図。
【図２】携帯電話機１の外観図で、（１）は、操作部筐体１Ａと表示部筐体１Ｂとの折り畳みを開いたオープンスタイルを示した図、（２）は、操作部筐体１Ａと表示部筐体１Ｂとを折り畳んだクローズスタイルを示した図。
【図３】携帯電話機１の基本的な構成要素を示したブロック図。
【図４】機能情報記憶部Ｍ２を説明するための図。
【図５】指情報記憶部Ｍ３を説明するための図。
【図６】報知情報記憶部Ｍ４を説明するための図。
【図７】優先順位情報記憶部Ｍ５を説明するための図。
【図８】電源投入に伴って実行開始される携帯電話機１の全体動作を示したフローチャート。
【図９】ＩＣカード機能処理（図８のステップＡ１２）を詳述するためのフローチャート。
【図１０】「手動フラグ」が“１”のＩＣカード機能が存在する場合に実行開始される処理Ａ（図９のステップＢ３）を詳述するためのフローチャート。
【図１１】「手動フラグ」が“１”のＩＣカード機能が存在していない場合に実行開始される処理Ｂ（図９のステップＢ４）を詳述するためのフローチャート。
【図１２】外部装置４に近接された際に、指センサＦ１あるいは指センサＦ２に指を接触させていない場合に実行開始される処理Ｃ（図９のステップＢ５）を詳述するためのフローチャート。
【図１３】指に対応付けてＩＣカード機能を記憶させる記憶処理（図１２のステップＥ８）を詳述するためのフローチャート。
【図１４】複数のＩＣカード機能が選択候補としてメニュー表示されている選択画面を示した図。
【図１５】ＩＣカード機能と指情報とを対応付けて機能情報記憶部Ｍ２に記憶させた場合の記憶結果報知画面を示した図。
【図１６】ＩＣカード機能として電子決済処理を実行した場合の実行結果報知画面を示した図。
【発明を実施するための形態】
【００１２】
以下、図１〜図１７を参照して本発明の実施形態を説明する。
この実施形態は、端末装置として携帯電話機に適用した場合を例示したもので、図１は、この携帯電話機が利用可能な通信ネットワークシステムを示したブロック図である。
携帯電話機１には、音声通話機能（電話機能）、電子メール機能、インターネット接続機能（Ｗｅｂアクセス機能）、ＩＣカード機能などが備えられている。ＩＣカード機能は、非接触通信のような近距離通信によって、外部装置との間で例えば、電子決済処理（電子マネー処理など）、乗車券処理（定期券処理も含む）、個人認証処理（電子チケット処理、身分証明書処理など）の各種処理を実行する。
【００１３】
なお、ＩＣカード機能で利用される近距離通信としては、赤外線通信、Bluetooth（登録商標）通信などの非接触タイプの通信であってもよいし、接触タイプの通信であってもよい。また、上述したように特許文献１では、電子決済機能、乗車券機能、個人認証機能などの総称を「ＩＣカード機能」としているが、この実施形態では、電子決済機能、乗車券機能、個人認証機能などの個別の機能を「ＩＣカード機能」と称し、それらの総称を「複数のＩＣカード機能」とする。
【００１４】
携帯電話機１は、最寄りの基地局２Ａ、交換機２Ｂから無線通信網（移動体通信網）２に接続されると、この無線通信網２を介して他の携帯電話機１との間で通話可能状態となる。また、携帯電話機１は、無線通信網２を介してインターネット３に接続されると、Ｗｅｂサイトをアクセスして閲覧可能な状態となる。また、携帯電話機１は、外部装置４に近接した際に、近距離通信によって当該外部装置４との間で所定の処理を実行する。この外部装置４は、電子決済機、自動改札機、個人認証機であり、インターネット３を介して乗車券機能サーバ５、電子決済サーバ６、個人認証サーバ７に接続されている。なお、乗車券機能サーバ５、電子決済サーバ６、個人認証サーバ７は、携帯電話機１と外部装置４との間で実行される処理として、対応する乗車券処理、電子決済処理、個人認証処理を制御するほか、ＩＣカード機能として、対応する乗車券処理プログラム、電子決済処理プログラム、個人認証処理プログラムをインターネット３を介して携帯電話機１側に提供するようにしている。
【００１５】
図２は、携帯電話機１の外観図である。
携帯電話機１は、その機器本体を構成する操作部筐体１Ａと表示部筐体１Ｂとを折り畳み自在に開閉可能なもので、図２（１）は、操作部筐体１Ａと表示部筐体１Ｂとの折り畳みを開いたオープンスタイルを示している。操作部筐体１Ａの内側にはキーボードＫＢが配設され、表示部筐体１Ｂの内側の略全域にはメイン画面ＭＤが配設されている。このキーボードＫＢに配設されている決定／カーソルボタンＤＣの上面には指センサＦ１が設けられている。
【００１６】
指センサＦ１は、指紋センサによって構成され、決定／カーソルボタンＤＣをタッチ操作した際に、その指情報を取得するもので、指紋の凹凸に応じた電荷量を電圧値に変換したデジタル画像（指紋パターン）を指情報として取得するようにしている。なお、指情報は、指紋、指の種類、指の血管、指の本数などであるが、この実施形態では指紋や指の種類を指情報としている。図２（２）は、操作部筐体１Ａと表示部筐体１Ｂとを折り畳んだクローズスタイルを示している。表示部筐体１Ｂの外側にはサブ画面ＳＤが配設されている。このサブ画面ＳＤの略全域には透明な指センサＦ２が設けられている。この指センサＦ２は、サブ画面ＳＤに指が接触された際に、上述の指センサＦ１と同様に指情報を取得する指紋センサを構成するほか、サブ画面ＳＤの上に表示されるタッチボタン用のタッチパネルを構成する。
【００１７】
図３は、携帯電話機１の基本的な構成要素を示したブロック図である。
中央制御部１１は、ＲＯＭ１２内の各種のプログラムに応じてこの携帯電話機１の全体動作を制御する中央演算処理装置などを有している。ＲＯＭ１２は、プログラム領域とデータ領域とを有し、このプログラム領域には、後述する図８〜図１３に示す動作手順に応じて本実施形態を実現するためのプログラムが格納されている。ＲＡＭ１３は、ワーク領域を有する内部メモリで、ユーザの各指に対応付けて予め登録されている指紋情報を指情報として記憶する指紋登録部Ｍ１のほか、後述する機能情報記憶部Ｍ２、指情報記憶部Ｍ３、報知情報記憶部Ｍ４、優先順位情報記憶部Ｍ５などを有している。指紋登録部Ｍ１は、各指（例えば、１０本の指）の個々に対応して指の種類を示す情報（指情報ＩＤ）と共に、その指から採取した指紋情報を記憶する構成となっている。
【００１８】
無線通信部１４は、無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調した後、音声信号処理部１５を介して送話スピーカＳＰから音声出力させ、また、受話マイクＭＣからの入力音声データを音声信号処理部１５から取り込み、送信ベースバンド信号に符号化した後、ベースバンド部の送信側に与えてアンテナから発信出力させる。
【００１９】
近距離通信部１６は、外部装置４から送信される電波によって電磁誘導される起電力を動作電力とし、外部装置４との間で微弱電波を利用してデータの送受信を行うことによって、乗車券処理、電子決済処理、個人認証処理などを行う。表示部１７は、上述したメイン画面ＭＤ、サブ画面ＳＤを有し、それらの表示動作を制御するもので、高精細液晶あるいは有機ＥＬなどを使用し、例えば、文字情報、待受画像などを表示させる。操作部１８は、上述したキーボードＫＢ、サブ画面ＳＤに設けられたタッチパネルを有し、ダイヤル入力、文字入力、コマンド入力などを入力するもので、中央制御部１１は、入力操作信号に応じた処理を実行する。
【００２０】
指情報取得部１９は、決定／カーソルボタンＤＣの上に設けられた指センサＦ１と、サブ画面ＳＤの上に設けられた指センサＦ２とを有し、それらの読み取り動作を制御するもので、指センサＦ１あるいは指センサＦ２によって読み取られた指情報（指紋情報）を中央制御部１１に与える。ここで、中央制御部１１は、今回のタッチ操作で得られた指紋情報と指紋登録部Ｍ１に予め登録されている登録指紋情報との特徴部分（例えば、指紋中心点、分岐点、端点、三角州など）を比較し、両者が特徴的に一致するか否かに基づいて接触された指の種類を特定するようにしている。
【００２１】
ＲＴＣ（リアルタイムクロックモジュール）２０は、時計部を構成するもので、中央制御部１１は、ＲＴＣ２０から現在日時を取得する。報知部２１は、サウンドスピーカ２１Ａ、ＬＥＤ（発光ダイオード）２１Ｂ、振動モータ２１Ｃを備え、着信時に駆動されて着信報知を行うほか、アラーム報知時にも駆動される。
【００２２】
図４は、機能情報記憶部Ｍ２を説明するための図である。
機能情報記憶部Ｍ２は、ＩＣカード機能と指情報とを対応付けて記憶するもので、「機能ＩＤ」、「機能名」、「プログラム」、「関連情報」、「指情報ＩＤ」、「手動フラグ」の各項目を有している。「機能ＩＤ」はＩＣカード機能を識別する識別情報（一連Ｎｏなど）であり、「機能名」は、例えば、“電子決済Ａ”、“電子決済Ｂ”、“電子決済Ｃ”、“個人認証Ａ”、“個人認証Ｂ”のように、そのＩＣカード機能の名称を示している。「プログラム」は、ＩＣカード機能を構成する電子決済プログラム、個人認証プログラムなどであり、「関連情報」は、残高など、その機能に必要な各種の関連情報である。「指情報ＩＤ」は、ユーザの両手の各指のうち、どの指（種類）を示すかの指識別情報である。「手動フラグ」は、複数のＩＣカード機能の中からユーザ操作によって選択されたＩＣカード機能を特定するためのフラグで、“１”はユーザ操作によって選択されたＩＣカード機能であることを示している。
【００２３】
このようにＩＣカード機能と指情報との対応付けが機能情報記憶部Ｍ２に記憶されている状態において、中央制御部１１は、携帯電話機１が外部装置４に近接した際に、指情報取得部１９から取得した指情報に基づいて複数のＩＣカード機能の中から何れかのＩＣカード機能を選択し、このＩＣカード機能の所定の処理（例えば、乗車券処理、電子決済処理、個人認証処理）を外部装置４との間で実行するようにしている。例えば、ユーザがクローズスタイルの状態においてサブ画面ＳＤの略全域に配置されている透明な指センサＦ２を任意の指で接触しながら外部装置４にかざすと（近接させると）、中央制御部１１は、その指に対応付けられている何れか一つのＩＣカード機能を起動対象として選択した後、当該ＩＣカード機能を起動させるようにしている。例えば、選択されたＩＣカード機能が電子決済機能であれば、その決済処理を実行するようにしている。また、サブ画面ＳＤに接触されている間、その実行結果（決済結果）を報知するようにし、その接触を離した際に、実行結果の報知を停止するようにしている。
【００２４】
図５は、指情報記憶部Ｍ３を説明するための図である。
指情報記憶部Ｍ３は、「指情報ＩＤ」、「実データ」、「報知ＩＤ」の各項目を有する構成で、「指情報ＩＤ」は、上述のように機能情報記憶部Ｍ２にリンクされている指識別情報で、この機能情報記憶部Ｍ２のほか、予め登録されている各指の指紋情報を記憶する指紋登録部Ｍ１にもリンクされている。すなわち、指紋登録部Ｍ１は、「指情報ＩＤ」に対応付けてユーザの指紋情報を記憶する構成で、この指紋登録部Ｍ１内の「指情報ＩＤ」と指情報記憶部Ｍ３内の「指情報ＩＤ」とを介してＩＣカード機能と指情報（指紋情報）とが対応付けられている。「実データ」は、指の種類を示すデータである。「報知ＩＤ」は、報知方法を識別する識別情報である。本実施形態では、どのＩＣカード機能にどのような指が対応付けられているかの対応関係を報知する場合に、指の種類毎に報知方法を異ならせるために、複数の報知方法を有している。
【００２５】
図６は、報知情報記憶部Ｍ４を説明するための図である。
報知情報記憶部Ｍ４は、どのＩＣカード機能にどの指が対応付けられているかの対応関係を報知するための報知情報を記憶するもので、中央制御部１１は、ＩＣカード機能と指情報とを対応付けて機能情報記憶部Ｍ２に記憶させた際に、その記憶結果を報知するようにしている。この場合、報知情報記憶部Ｍ４の内容に基づいて指毎に画面全体の色（背景色）などを変えて表示させるようにしている。すなわち、報知情報記憶部Ｍ４は、「報知ＩＤ」、「内容」を記憶する構成で、「報知ＩＤ」は、報知方法を識別する識別情報であり、「内容」は、画面を着色する色や点滅状態などである。
【００２６】
図７は、優先順位情報記憶部Ｍ５を説明するための図である。
優先順位情報記憶部Ｍ５は、機能情報記憶部Ｍ２にＩＣカード機能と指情報とを対応付けて記憶させる場合に、その対応付けを新たに記憶させるか否かを指定する指示情報として優先順位情報する。すなわち、優先順位情報記憶部Ｍ５は、今回のＩＣカード機能と指情報との対応付け記憶を有効とするか否かを予めユーザ操作によって指定された指示情報として優先順位情報を記憶するもので、「項目」、「内容」、「設定フラグ」の各項目を有し、この「項目」が示す優先順位として、その「内容」には“先優先”と“後優先”が記憶されている。
【００２７】
“先優先”は、ＩＣカード機能と指情報との対応付けが既に記憶されている場合に、その対応付けを書き替えずにそのまま優先すべきことを示している。また、“後優先”は、ＩＣカード機能と指情報との対応付けが既に記憶されている場合でも既に記憶されている対応付けに変えて新たな対応付けに書き替えるべきことを示している。「設定フラグ」は、この“先優先”を指定するか、“後優先”を指定するかを示すもので、ユーザ操作によって任意に指定可能となっている。なお、図示の例では、“先優先”に対応する「設定フラグ」が“１”で、ユーザ操作によって“先優先”が選択指定されていることを示している。
【００２８】
次に、この実施形態における携帯電話機の動作概念を図８〜図１３に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００２９】
図８は、電源投入に伴って実行開始される携帯電話機１の全体動作を示したフローチャートである。
先ず、中央制御部１１は、電源を投入する電源オン操作が行われると（ステップＡ１でＹＥＳ）、電源供給を開始させて所定のメモリなどを初期化する電源オン処理を実行した後（ステップＡ２）、所定の待受画像を読み出して表示させたり、基地局２Ａとの間で通信を行って位置登録をしたりする待受処理を行う（ステップＡ３）。そして、操作部１８をアクセスして操作有無をチェックしたり（ステップＡ４、Ａ５、Ａ８、Ａ９）、近距離通信部１６をアクセスして外部装置４に近接検出されたかをチェックしたり（ステップＡ６）、無線通信部１４をアクセスして着信検出の有無をチェックしたりする（ステップＡ７）。
【００３０】
いま、情報設定を指示する設定操作が行われたときには（ステップＡ４でＹＥＳ）、その設定操作に応じた設定処理に移り、例えば、報知情報記憶部Ｍ４、優先順位情報記憶部Ｍ５に対して報知情報、優先順位情報の設定を行ったり、無線通信網２、インターネット３を介してＩＣカード機能（例えば、乗車券処理プログラム、電子決済処理プログラム、個人認証処理プログラムなど）をダウンロードして登録したりする（ステップＡ１０）。また、複数のＩＣカード機能が選択候補としてメニュー表示されている選択画面（図１４参照）の中から所望するＩＣカード機能を起動対象として選択する選択操作が行われると（ステップＡ５でＹＥＳ）、ユーザ選択されたＩＣカード機能に基づいて機能情報記憶部Ｍ２を検索し、そのＩＣカード機能に対応する「手動フラグ」を“１”とする（ステップＡ１１）。なお、図１４の選択画面は、サブ画面ＳＤに表示されるもので、図示の例では、“電子決済Ｂ”を選択した場合を示している。そして、この選択画面には複数のＩＣカード機能の中から所望するＩＣカード機能を選択すべきことを示すメッセージと共に、指で選択画面を接触しながら外部装置４に近づけるべき旨のメッセージが表示される。
【００３１】
また、外部装置４への近接を検出すると（ステップＡ６でＹＥＳ）、後述するＩＣカード機能処理に移る（ステップＡ１２）。また、着信を検出すると（ステップＡ７でＹＥＳ）、回線接続に応じて通話可能状態とする通話処理を行い（ステップＡ１３）、電源オフ操作が行われると（ステップＡ８でＹＥＳ）、電源オフ処理を行い（ステップＡ１４）、その他の操作として、例えば、発信操作やメール送信操作などが行われると（ステップＡ９でＹＥＳ）、その操作に応じた処理として、発信処理、メール送信処理などを行う（ステップＡ１５）。
【００３２】
図９は、ＩＣカード機能処理（図８のステップＡ１２）を詳述するためのフローチャートであり、図１０〜図１３は、このＩＣカード機能処理の一部の処理（処理Ａ／処理Ｂ／処理Ｃ／記憶処理）を詳述するためのフローチャートである。
先ず、外部装置４に近接した際に、中央制御部１１は、ユーザの指が指情報取得部１９を構成する指センサＦ１、Ｆ２の何れかに接触されているかを調べる（図９のステップＢ１）。すなわち、指センサＦ１、Ｆ２によって採取された指紋情報に基づいて指紋登録部Ｍ１を参照し、登録されている指紋情報と採取した指紋情報とを照合することによって指センサＦ１あるいは指センサＦ２にユーザの指が接触されているかを調べる。この場合、指の接触を検出したときには、指紋登録部Ｍ１を参照することによって、どの指が接触されているかも併せて判別して接触された指の種類を特定するようにしている。
【００３３】
いま、指を接触させながら外部装置４に近接させたときには（ステップＢ１でＹＥＳ）、機能情報記憶部Ｍ２を検索して「手動フラグ」が“１”のＩＣカード機能の有無を調べるが（ステップＢ２）、図４の例では、個人認証ＡのＩＣカード機能に対応する「手動フラグ」が“１”であるから、後述する処理Ａに移る（ステップＢ３）。また、「手動フラグ」が“１”のＩＣカード機能が存在していなければ（ステップＢ２でＮＯ）、後述する処理Ｂに移る（ステップＢ４）。また、外部装置４に近接した際に、ユーザの指が指センサＦ１あるいは指センサＦ２に接触されていなければ（ステップＢ１でＮＯ）、後述する処理Ｃに移る（ステップＢ５）。
【００３４】
図１０は、「手動フラグ」が“１”のＩＣカード機能が存在する場合に実行開始される処理Ａ（図９のステップＢ３）を詳述するためのフローチャートである。この処理Ａは、複数のＩＣカード機能の中からユーザ操作によって何れかのＩＣカード機能が選択されている状態（“手動フラグ＝１”のＩＣカード機能が存在している状態）において、ユーザの指を指センサＦ１あるいは指センサＦ２に接触させながら外部装置４に近接させた場合に実行開始される処理である。
先ず、中央制御部１１は、どの指が接触されているかの指の種類に応じた「指情報ＩＤ」を指紋登録部Ｍ１から取得した後（ステップＣ１）、機能情報記憶部Ｍ２を参照し、この「指情報ＩＤ」に対応付けて、“手動フラグ＝１”のＩＣカード機能とは異なる別のＩＣカード機能が記憶されているかを調べる（ステップＣ２）。
【００３５】
例えば、右手の親指の接触を検出した場合に、“手動フラグ＝１”のＩＣカード機能が“電子決済Ａ”で、右手の親指が別のＩＣカード機能である“電子決済Ｂ”に対応付けられていれば、上述のステップＣ２で“ＮＯ”と判断されるが、右手の親指が何れのＩＣカード機能にも対応して記憶されていなければ、上述のステップＣ２で“ＹＥＳ”と判断される。このように今回取得の「指情報ＩＤ」に対応付けて別のＩＣカード機能が記憶されていなければ（ステップＣ２でＹＥＳ）、機能情報記憶部Ｍ２を参照し、“手動フラグ＝１”のＩＣカード機能に対応付けて、今回接触された指とは異なる別の指の「指情報ＩＤ」が記憶されているかを調べる（ステップＣ３）。例えば、右手の親指の接触を検出した場合に、“手動フラグ＝１”のＩＣカード機能である“電子決済Ａ”に、右手の人差し指が対応付けられていれば、上述のステップＣ３で“ＮＯ”と判断されるが、この“電子決済Ａ”にはどの指も対応付けられていなかったり、右手の親指が対応付けられていたりするときには、上述のステップＣ３で“ＹＥＳ”と判断される。
【００３６】
このように“手動フラグ＝１”のＩＣカード機能に対応して別の指の「指情報ＩＤ」が記憶されていなければ（ステップＣ３でＹＥＳ）、報知情報記憶部Ｍ４を参照し、指情報記憶部Ｍ３に記憶されていない報知情報「報知ＩＤ」、つまり、未使用の「報知ＩＤ」を検索し（ステップＣ４）、この「報知ＩＤ」を報知情報記憶部Ｍ４から読み出すと共に、この「報知ＩＤ」と今回取得の「指情報ＩＤ」とを対応付けて指情報記憶部Ｍ３に追加記憶させる（ステップＣ５）。
【００３７】
そして、“手動フラグ＝１”のＩＣカード機能と今回取得の「指情報ＩＤ」とを対応付けて機能情報記憶部Ｍ２に追加記憶させた後（ステップＣ６）、その記憶結果を報知する（ステップＣ７）。図１５は、この記憶結果報知画面を示し、図１４のようにＩＣカード機能として“電子決済Ｂ”が選択されている場合には、指情報と「電子決済Ｂ」とを対応付けて記憶した旨のメッセージが表示される。この場合、報知情報記憶部Ｍ４を参照し、この「指情報ＩＤ」に対応する「報知ＩＤ」の「内容」で画面全体を赤色点滅などによって報知するようしている。すなわち、ＩＣカード機能と指情報とを対応付けて機能情報記憶部Ｍ２に記憶させた場合に、その記憶結果をその指情報に基づいて区別可能に報知するようにしている。そして、“手動フラグ＝１”のＩＣカード機能を起動対象として選択した後（ステップＣ８）、このＩＣカード機能に対応する「手動フラグ」を“１”から“０”に変更する（ステップＣ９）。
【００３８】
一方、今回取得の「指情報ＩＤ」に対応付けて別のＩＣカード機能が記憶されている場合（ステップＣ２でＮＯ）、あるいは“手動フラグ＝１”のＩＣカード機能に対応付けて別の指の「指情報ＩＤ」が記憶されている場合には（ステップＣ３でＮＯ）、優先順位情報記憶部Ｍ５を参照し、「設定フラグ」が“１”の優先順位として“後優先”がユーザ指定されているかを調べる（ステップＣ１０）。いま、“後優先”が指定されている場合には（ステップＣ１０でＹＥＳ）、機能情報記憶部Ｍ２から所定の指情報を削除した後（ステップＣ１１）、“手動フラグ＝１”のＩＣカード機能に対応付けて指情報を機能情報記憶部Ｍ２に記憶させる（ステップＣ６）。
【００３９】
言い換えれば、ユーザ操作によって選択されたＩＣカード機能を指情報に対応付けて機能情報記憶部Ｍ２に記憶させる際に、既にその指情報が別のＩＣカード機能に対応付けて記憶されている状態であったり、既にそのＩＣカード機能が別の指情報に対応付けて記憶されている状態であったりするときには、予めユーザ操作によって指定されている優先順位を参照し、それが後優先であれば、既に記憶されている指情報を削除した後、今回のＩＣカード機能と指情報との対応付けを新たに記憶するようにしている。例えば、右手の親指の接触を検出したときに、“手動フラグ＝１”のＩＣカード機能が“電子決済Ｂ”で、右手の親指が別のＩＣカード機能である“電子決済Ａ”に対応付けられている場合には、“電子決済Ａ”に対応する指情報を削除した後、“手動フラグ＝１”の“電子決済Ｂ”に右手の親指を対応付けて記憶させる。また、“手動フラグ＝１”の“電子決済Ｂ”に別の指（右手の人差し指）が対応付けられている場合には、この指情報（右手の差し指）を削除した後に、この“電子決済Ｂ”に右手の親指を対応付けて記憶させる。
【００４０】
他方、“設定フラグ＝１”の優先順位情報が“先優先”の場合（優先順位として“先優先”が指定されている場合）には（ステップＣ１０でＮＯ）、起動対象となるＩＣカード機能を選択する処理を行った後（ステップＣ１２）、「手動フラグ」を“１”から“０”に変更する処理を行う（ステップＣ１３）。例えば、右手の親指の接触を検出したときに、“手動フラグ＝１”のＩＣカード機能が“電子決済Ｂ”で、右手の親指が別のＩＣカード機能である“電子決済Ａ”に対応付けられている場合には、右手の親指に対応する“電子決済Ａ”が選択され、“電子決済Ｂ”の手動フラグが“０”となる。また、“手動フラグ＝１”の“電子決済Ｂ”に別の指（右手の人差し指）が対応付けられている場合には、この“電子決済Ｂ”が選択され、この“電子決済Ｂ”の手動フラグが“０”となる。
【００４１】
図１１は、「手動フラグ」が“１”のＩＣカード機能が存在していない場合に実行開始される処理Ｂ（図９のステップＢ４）を詳述するためのフローチャートである。この処理Ｂは、“手動フラグ＝１”のＩＣカード機能が存在していない状態において、ユーザの指を指センサＦ１あるいは指センサＦ２に接触させながら外部装置４に近接させた場合に実行開始される処理である。
先ず、中央制御部１１は、どの指が接触されているかの指の種類に応じた「指情報ＩＤ」を指紋登録部Ｍ１から取得した後（ステップＤ１）、機能情報記憶部Ｍ２を参照し、この「指情報ＩＤ」にはＩＣカード機能が対応付けて記憶されているかを調べ（ステップＤ２）、ＩＣカード機能が対応付けて記憶されていれば（ステップＤ２でＹＥＳ）、当該ＩＣカード機能を起動対象として選択する（ステップＤ３）。いま、右手の親指の接触を検出した場合に、右手の親指が“電子決済Ｂ”に対応付けられていれば、この“電子決済Ｂ”が起動対象として選択される。
【００４２】
また、今回接触された指に対応付けてＩＣカード機能が記憶されていなければ（ステップＤ２でＮＯ）、所望するＩＣカード機能をユーザ操作で選択すべきことを指示する選択画面（図１４参照）を表示させる（ステップＤ４）。ここで、ＩＣカード機能を選択する操作が行われると（ステップＤ５でＹＥＳ）、機能情報記憶部Ｍ２をアクセスして、ユーザ操作で選択された当該ＩＣカード機能の“手動フラグ”を“１”に変更した後（ステップＤ６）、図９のステップＢ３に戻り、上述した処理Ａの実行に移る。
【００４３】
このようにして処理Ａ（図９のステップＢ３）あるいは処理Ｂ（図９のステップＢ４）が行われると、図９のステップＢ６に移り、選択されたＩＣカード機能の所定の処理として、例えば、乗車券処理、電子決済処理、個人認証処理などを外部装置４との間で実行し、その実行結果を報知（表示）させる（ステップＢ７）。図１６は、ＩＣカード機能として電子決済処理を実行した場合の実行結果報知画面を示したもので、この報知画面には決済年月日、決済金額、残高が表示される。この場合、指情報記憶部Ｍ３、報知情報記憶部Ｍ４を参照し、接触された指に対応する「報知ＩＤ」を読み出し、この「報知ＩＤ」で示される報知方法で画面全体を識別表示（例えば、赤色点滅表示）させる。そして、指情報取得部１９を構成する指センサＦ１、Ｆ２から指が離れると（ステップＢ８でＹＥＳ）、実行結果の報知を終了させる（ステップＢ９）。
【００４４】
図１２は、外部装置４に近接された際に、指センサＦ１あるいは指センサＦ２に指を接触させていない場合に実行開始される処理Ｃ（図９のステップＢ５）を詳述するためのフローチャートである。
先ず、中央制御部１１は、所望するＩＣカード機能をユーザ操作によって選択するか、指情報取得部１９を構成する指センサＦ１あるいは指センサＦ２に指を接触するかを指示する案内メッセージを表示させた後（ステップＥ１）、その選択操作待ち状態となる（ステップＥ２）。この操作待ち状態において指接触を検出したときには（ステップＥ９でＹＥＳ）、図９のステップＢ２に移り、上述した場合と同様、“手動フラグ＝１”のＩＣカード機能の有無に応じて処理Ａあるいは処理Ｂの実行に移る（ステップＢ２〜Ｂ４）。
【００４５】
また、ＩＣカード機能を選択する操作が行われたときには（ステップＥ２でＹＥＳ）、このＩＣカード機能を起動対象として選択した後（ステップＥ３）、上述した場合と同様に、選択されたＩＣカード機能の所定の処理を外部装置４との間で実行すると共に（ステップＥ４）、その実行結果を報知する（ステップＥ５）。図１６は、ＩＣカード機能として電子決済処理を実行した場合の実行結果報知画面を示したもので、この報知画面には決済年月日、決済金額、残高が表示される。この場合、指接触を検出していないので、指に応じた報知は行われない。
【００４６】
そして、実行結果報知を終了させた後（ステップＥ６）、所定時間（例えば、１０秒）が経過するまで指接触の検出有無を調べ（ステップＥ７、Ｅ１０）、所定時間が経過しても指が接触されなければ（ステップＥ１０でＹＥＳ）、この処理Ｃが終了して図８のステップＡ４に戻るが、所定時間が経過する前に指接触を検出したときには（ステップＥ７でＹＥＳ）、指に対応付けてＩＣカード機能を記憶させる記憶処理に移る（ステップＥ８）。
【００４７】
図１３は、指に対応付けてＩＣカード機能を記憶させる記憶処理（図１２のステップＥ８）を詳述するためのフローチャートである。
先ず、中央制御部１１は、上述した処理Ａの場合と基本的に同様に、どの指が接触されているかの指の種類に応じた「指情報ＩＤ」を指紋登録部Ｍ１から取得した後（ステップＦ１）、この「指情報ＩＤ」に対応付けて、ユーザ選択されたＩＣカード機能とは異なる別のＩＣカード機能が記憶されているかを調べ（ステップＦ２）、別のＩＣカード機能が記憶されていなければ（ステップＦ２でＹＥＳ）、ユーザ選択されたＩＣカード機能には、今回接触された指とは異なる別の指の「指情報ＩＤ」が対応付けて記憶されているかを調べる（ステップＦ３）。
【００４８】
いま、別の指の「指情報ＩＤ」が記憶されていなければ（ステップＦ３でＹＥＳ）、指情報記憶部Ｍ３に記憶されていない「報知ＩＤ」を検索し（ステップＦ４）、この「報知ＩＤ」と今回取得の「指情報ＩＤ」とを対応付けて指情報記憶部Ｍ３に追加記憶させると共に（ステップＦ５）、ユーザ選択のＩＣカード機能と今回取得の「指情報ＩＤ」とを対応付けて機能情報記憶部Ｍ２に追加記憶させた後（ステップＦ６）、その記憶結果を報知する（ステップＦ７）。
【００４９】
一方、今回取得の「指情報ＩＤ」に対応付けて別のＩＣカード機能が記憶されている場合（ステップＦ２でＮＯ）、あるいはユーザ選択のＩＣカード機能に対応付けて別の指の「指情報ＩＤ」が記憶されている場合には（ステップＦ３でＮＯ）、「設定フラグ」が“１”の優先順位として“後優先”がユーザ指定されているか否かを調べる（ステップＦ８）。ここで、“先優先”が指定されているときには（ステップＦ８でＮＯ）、このフローから抜けるが、“後優先”がユーザ指定されているときには（ステップＦ８でＹＥＳ）、機能情報記憶部Ｍ２から指情報を削除する処理を行った後（ステップＦ９）、上述したステップＦ６に移り、ＩＣカード機能と「指情報ＩＤ」とを対応付けて記憶させる。
【００５０】
以上のように、この実施形態において中央制御部１１は、外部装置４に近接した場合に、指情報取得部１９からの指情報に基づいて機能情報記憶部Ｍ２を参照すると共に、複数のＩＣカード機能の中から何れかのＩＣカード機能を選択し、このＩＣカード機能の所定の処理を外部装置４との間で実行するようにしたので、ユーザの煩雑な操作を必要とすることなく、指情報を取得するだけで、複数のＩＣカード機能の中から所望するＩＣカード機能を容易に選択することができ、操作性を大幅に向上させることが可能となる。
【００５１】
複数のＩＣカード機能の中からユーザ操作によって何れかのＩＣカード機能が選択されている状態において、指センサＦ１あるいは指センサＦ２に指を接触させて外部装置に近接させた場合に、このＩＣカード機能と今回接触された指の指情報とを対応付けて機能情報記憶部Ｍ２に記憶させるようにしたので、次回以降、携帯電話機１を外部装置４に近接させた場合に、ユーザは煩雑な操作をする必要がなく、携帯電話機１に同じ指情報を取得させるだけで、同じＩＣカード機能を選択させることができる。例えば、最初、ユーザ操作で何れかの電子決済機能を選択しておいた状態で、指を接触させながら外部装置４に近接させると、この電子決済機能を起動対象として選択して電子決済処理を行うが、その際、この指の指情報と電子決済機能とを対応付けて記憶するようにしたので、次回以降は、同じ指の接触によって同じ電子決済機能を起動対象として選択して電子決済処理を行うことができる。
【００５２】
ＩＣカード機能と指情報とを対応付けて機能情報記憶部Ｍ２に記憶させた場合に、その記憶結果をその指情報に基づいて区別可能に報知するようにしたので、ユーザはどの指情報に対応付けてＩＣカード機能が記憶されたかを直感的に認識することができる。
【００５３】
ユーザ操作によって選択されたＩＣカード機能を指情報に対応付けて機能情報記憶部Ｍ２に記憶させる際に、既にそのＩＣカード機能が別の指情報に対応付けて記憶されている状態にあれば、予めユーザ操作によって指定されている優先順位を参照し、後優先が指定されているときには今回の対応付けを新たに記憶するようにしたので、指情報を重複して記憶してしまうことを効果的に防止することができる。
【００５４】
ユーザ操作によって選択されたＩＣカード機能を指情報に対応付けて記憶する際に、このＩＣカード機能とは別のＩＣカード機能がその指情報に対応付けて記憶されている状態にあれば、予めユーザ操作によって指定されている優先順位を参照し、後優先が指定されているときには今回の対応付けを新たに記憶するようにしたので、指情報を重複して記憶してしまうことを効果的に防止することができる。
【００５５】
ＩＣカード機能の所定の処理を外部装置４との間で実行した場合に、ユーザが指を指センサＦ１あるいは指センサＦ２に接触している間、その実行結果を報知するようにしたので、煩雑な操作を必要とすることなく、ユーザは実行結果の報知する時間を指定することができるほか、第三者に実行結果を知られることを防止することができる。
【００５６】
クローズスタイルの状態で携帯電話機１をユーザが把持して外部装置４に近接させた際に、指が当たるサブ画面ＳＤの位置に指センサＦ２を配設するようにしたので、携帯電話機１をユーザが把持して外部装置４に近接させるだけで、ＩＣカード機能を選択することができる。
【００５７】
なお、上述した実施形態においては、記憶結果報知と実行結果報知とを行う場合を例示したが、ＩＣカード機能を選択した際の選択結果を指情報に基づいて区別可能に報知するようにしてもよい。これによってユーザはどの指情報に応じてＩＣカード機能が選択されたかを直感的に認識することができる。特に、ＩＣカード機能を指情報に対応付けて記憶した際の記憶結果と、ＩＣカード機能を選択した際の選択結果とを、同じ指情報であれば同じ報知方法にすることによって、煩雑な操作を必要とすることなく、ユーザはどの指情報に基づいてＩＣカード機能が記憶されたのか、選択されたのかを直感的に認識することができる。
【００５８】
なお、上述した実施形態においては、指情報として指紋や指の種類を示したが、指の血管情報、指の本数情報などであってもよく、また、指紋情報、指の種類、指の血管情報、指の本数情報のうち、それら２以上を組み合わせたものを指情報としてもよい。このように指情報を指紋情報、指の血管情報とすることによって、ユーザを第三者と区別することが可能となるため、第三者による不正利用を防止することができ、また、指情報として指の本数情報、指の種類を示す情報とすることによって、指情報の取得を簡易的に行うことができる。
【００５９】
また、上述した実施形態においては、ユーザの各指に対応付けて予め登録されている指紋情報を記憶する指紋登録部Ｍ１を設け、中央制御部１１は、指センサＦ１、Ｆ２によって採取された指紋情報に基づいて指紋登録部Ｍ１を参照し、登録されている指紋情報と採取した指紋情報とを照合することによって指センサＦ１あるいは指センサＦ２にユーザの指が接触されているかを判別すると共に、接触された指の種類を特定するようにしたが、予めユーザの指紋情報を指紋登録部Ｍ１に登録しておかなくてもよい。
【００６０】
すなわち、上述した実施形態においては、指情報取得部１９の「実データ」に指の種類を記憶するようにしたが、この「実データ」に指紋情報を記憶しておき、外部装置４に近接させた際に取得した指紋情報に基づいて指情報取得部１９の「実データ」を検索し、その結果、何れかの指紋情報に合致した場合には、それに対応するＩＣカード機能を起動対象として選択するようにしてもよい。この際、指情報取得部１９の「実データ」に正確な指紋情報が記憶されるように、その内容を更新するようにしてもよい。すなわち、外部装置４に近接させた際に取得した指紋情報と指情報取得部１９の記憶されている指紋情報との優劣を比較し、今回取得した指紋情報のほうが良好であれば、指情報取得部１９内の該当する指紋情報に置き換えて今回取得した指紋情報を記憶させるようにしてもよい。このようにユーザの指紋情報を予め登録する必要がないので、事前準備の必要がなくなる。
【００６１】
また、上述した実施形態においては、外部装置４に近接した際に指情報を取得するようにしたが、指情報を取得するタイミングは、外部装置４に近接する前であってもよい。すなわち、指が指センサＦ１あるいは指センサＦ２に接触されたことを検出した際に、指情報を取得して一時記憶しておき、外部装置４への近接を検出した際に、一時記憶されている指情報を読み出すようにしてもよい。また、指センサＦ１は、決定／カーソルボタンＤＣに配置し、指センサＦ２は、サブ画面ＳＤに配置したが、指で接触しやすい位置であれば、その位置に限らない。
【００６２】
また、上述した実施形態においては、上述した記憶結果報知と実行結果報知を行う場合に画面全体の点滅表示を行うようにしたが、それらの報知方法は任意であり、例えば、画面の一部の色を変えたり、音や振動によって報知したりするなど、指に応じて区別可能な報知であればよい。更に、ユーザ操作あるいは定期的に機能情報記憶部Ｍ２の内容を読み出して一覧表示させてもよい。
【００６３】
その他、上述した実施形態においては、ＩＣカード機能として電子決済機能、乗車券機能、個人認証機能を示したが、任意のＩＣカード機能であってもよい。
また、携帯電話機に限らず、例えば、パーソナルコンピュータ、ＰＤＡ、デジタルカメラ、音楽プレイヤーなどの端末装置であっても同様に適用可能である。
【００６４】
以下、本発明の特徴を付記する。
上記の実施形態の一部又は全部は、以下の付記のようにも記載されうるが、以下には限られない。
（付記１）
付記１記載の発明は、
外部装置４に近接した際に近距離通信によって当該外部装置４との間で所定の処理を実行するＩＣカード機能を複数備える端末装置１であって、
ユーザの指情報を取得する取得手段１９と、
前記外部装置４に近接した場合に、前記取得手段１９にユーザの指が接触しているか否かを判別する第１判別手段１１、Ａ６、Ｂ１と、
前記第１判別手段１１によって接触していると判別された場合に、前記ＩＣカード機能と指情報とを対応付けて記憶する記憶手段Ｍ２を前記取得手段１９によって取得された指情報に基づいて参照することによって、前記複数のＩＣカード機能の中から何れかのＩＣカード機能を選択する第１選択手段１１、Ｂ１、Ｄ１、Ｄ２、Ｄ３と、
この第１選択手段によって選択されたＩＣカード機能の前記所定の処理を前記外部装置との間で実行する実行手段１１と、
を具備したことを特徴とする端末装置である。
【００６５】
（付記２）
前記取得手段は、当該端末装置に配設された指情報取得センサを含み、
当該端末装置をユーザが把持して前記外部装置に近接させた状態において、当該端末装置に指が当たる位置に前記指情報取得センサを配設する、
ことを特徴とする付記１記載の端末装置である。
【００６６】
（付記３）
前記複数のＩＣカード機能の中からユーザ操作によって何れかのＩＣカード機能を選択する第２選択手段を更に備え、
前記実行手段は、前記第１判別手段によって前記取得手段にユーザの指が接触していないと判別された場合に、前記第２選択手段によって選択されたＩＣカード機能の前記所定の処理を前記外部装置との間で実行する、
ことを特徴とする付記１又は２に記載の端末装置である。
【００６７】
（付記４）
前記第１判別手段によって前記取得手段にユーザの指が接触していないと判別された場合に、前記取得手段に指を接触する旨を示する案内メッセージを表示させる表示手段と、
前記表示手段によって案内メッセージが表示された場合に、前記取得手段にユーザの指が接触しているか否かを判別する第２判別手段と、
を更に備え、
前記第１選択手段は、前記第２判別手段によって接触していると判別された場合に、前記ＩＣカード機能と指情報とを対応付けて記憶する記憶手段を前記取得手段によって取得された指情報に基づいて参照することによって、前記複数のＩＣカード機能の中から何れかのＩＣカード機能を選択する、
ことを特徴とする付記１又は２に記載の端末装置である。
【００６８】
（付記５）
前記実行手段によって前記所定の処理が実行された場合に、前記取得手段にユーザの指が接触しているか否かを判別する第３判別手段と、
前記第３判別手段によって接触していると判別された場合に、前記実行手段によって所定の処理を実行したＩＣカード機能と前記取得手段によって取得された指情報とを対応付けて前記記憶手段に記憶する記憶制御手段と、
を更に備えることを特徴とする付記１乃至４のいずれかに記載の端末装置である。
【００６９】
（付記６）
コンピュータに対して、
ユーザの指情報を取得する機能と、
外部装置に近接した場合に、指情報を取得する領域に前記ユーザの指が接触しているか否かを判別する機能と、
前記ユーザの指が接触していると判別された場合に、前記ＩＣカード機能と指情報とを対応付けて記憶する記憶手段を前記取得された指情報に基づいて参照することによって、複数のＩＣカード機能の中から何れかのＩＣカード機能を選択する機能と、
前記選択されたＩＣカード機能の所定の処理を前記外部装置との間で実行する機能と、
を実現させるためのプログラムである。
【符号の説明】
【００７０】
１  携帯電話機
２  無線通信網
３  インターネット
４  外部装置
５  乗車券機能サーバ
６  電子決済サーバ
７  個人認証サーバ
１１  中央制御部
１２  ＲＯＭ
１４  無線通信部
１６  近距離通信部
１７  表示部
１８  操作部
１９  指情報取得部
２１  報知部
１Ａ  操作部筐体
１Ｂ  表示部筐体
ＭＤ  メイン画面
ＳＤ  サブ画面
Ｆ１、Ｆ２  指センサ
Ｍ１  指紋登録部
Ｍ２  機能情報記憶部
Ｍ３  指情報記憶部
Ｍ４  報知情報記憶部
Ｍ５  優先順位情報記憶部
【図１】
0005477783.tif 000002
【図２】
0005477783.tif 000003
【図３】
0005477783.tif 000004
【図４】
0005477783.tif 000005
【図５】
0005477783.tif 000006
【図６】
0005477783.tif 000007
【図７】
0005477783.tif 000008
【図８】
0005477783.tif 000009
【図９】
0005477783.tif 000010
【図１０】
0005477783.tif 000011
【図１１】
0005477783.tif 000012
【図１２】
0005477783.tif 000013
【図１３】
0005477783.tif 000014
【図１４】
0005477783.tif 000015
【図１５】
0005477783.tif 000016
【図１６】
0005477783.tif 000017